(57)【特許請求の範囲】
【請求項１】
長方形状の大底板の対向する長辺にそれぞれ回動自在に取付けた長辺側の側板と、対向する短辺にそれぞれ回動自在に取付けた短辺側の側板とを、長辺側の一対の側板又は短辺側の一対の側板のいずれか一方側を先に倒した後にその上に他方側を倒した状態で折り畳み且つ他方側を起立させた後に一方側を起立させて箱形状に組み立てる大型の折り畳みコンテナを形成し、
矩形状の小底板の対向する一対の辺にそれぞれ回動自在に取付けた一対の第１の側板と、対向する他の一対の辺に回動自在に取付けた一対の第２の側板とを、一対の第１の側板を倒した上に一対の第２の側板を倒した状態で折り畳み且つ一対の第２の側板を起立させた後に一対の第１の側板を起立させて箱形状に組み立てる小型の折り畳みコンテナを形成し、
小型の折り畳みコンテナの小底板の一辺を大型の大底板の短辺と同一長さとするとともに小底板の他辺を大底板の長辺の１／Ｎとし、Ｎは２以上の整数、
大型の折り畳みコンテナの大底板の少なくとも四隅部分及び長辺の両端間に上方に向けて支持突部を突設し、
上記小底板の下面部の少なくとも四隅部分に係合部を設け、大底板の支持突部に被係合部を設け、
折り畳み状態の大型の折り畳みコンテナの上面に複数の小型の折り畳みコンテナを載置すると共に大底板の少なくとも四隅部分及び長辺の両端間に突設した支持突部に複数の小型の折り畳みコンテナの各小底板の少なくとも四隅部分を載設支持し且つ係合部を被係合部に係合して成ることを特徴とする折り畳みコンテナの積載構造。
【請求項２】
大底板の長辺の両端間に突設した支持突部の外側にリブを設けて成ることを特徴とする請求項１記載の折り畳みコンテナの積載構造。
【請求項３】
支持突部の上端部を大型の折り畳みコンテナの折り畳み状態における上段の側板よりも上方に突出して成ることを特徴とする請求項１又は請求項２記載の折り畳みコンテナの積載構造。
【請求項４】
小型の折り畳みコンテナの小底板の少なくとも四隅部分に支持突出部を突設し、折り畳み状態の小型の折り畳みコンテナを複数枚平面視で大型の折り畳みコンテナと重なるように並べ、該並設した複数の小型の折り畳みコンテナの上に大型の折り畳みコンテナを載置すると共に並設した複数の小型の折り畳みコンテナの小底板の少なくとも四隅に突設した支持突出部に大型の折り畳みコンテナの大底板を載設支持して成ることを特徴とする請求項１記載の折り畳みコンテナの積載構造。
【請求項５】
大底板の下面部の少なくとも四隅部分及び長辺間に係止部を設け、支持突出部に被係止部を設け、係止部を被係止部に係止して成ることを特徴とする請求項４記載の折り畳みコンテナの積載構造。
【請求項６】
大型の折り畳みコンテナの長辺側の側板の上面部に上方に向けて突出するずれ防止突起を設け、小型の折り畳みコンテナの小底板の端部に組み立て状態の大型の折り畳みコンテナの上に複数の小型の折り畳みコンテナを並べて載置した際にずれ防止用突起に嵌め込むための嵌め込み凹部を形成して成ることを特徴とする請求項１記載の折り畳みコンテナの積載構造。
【発明の詳細な説明】
【０００１】
【発明の属する技術分野】
本発明は、大型の折り畳みコンテナと小型の折り畳みコンテナとを積載する折り畳みコンテナの積載構造に関するものである。
【０００２】
【従来の技術】
従来から、矩形状の底板の対向する一対の辺にそれぞれ回動自在に取付けた一対の第１の側板と、対向する他の一対の辺に回動自在に取付けた一対の第２の側板とを、一対の第１の側板を倒した上に一対の第２の側板を倒した状態で折り畳み且つ一対の第２の側板を起立させた後に一対の第１の側板を起立させて箱形状に組み立てる折り畳みコンテナが知られている。この折り畳みコンテナは空の状態で保管したり、運搬したりする場合には、折り畳みコンテナを折り畳んで嵩を低くした状態で複数積み重ねて保管したり、あるいは運搬したりするようになっている。
【０００３】
ところで、上記の折り畳みコンテナは、底板の大きさの異なるものが複数種類あり、これら底板の大きさが異なるものを折り畳んで保管したり、運搬したりする場合、底板の大きさが同じ大きさの折り畳みコンテナ同士を折り畳んだ状態で上下に複数積み重ねて保管したり、あるいは運搬したりしており、このため、底板の大きさの異なる折り畳みコンテナを仕分けしてそれぞれ別々に上下に重ねる必要があり、流通コストが高くなるという問題があった。
【０００４】
なお、従来において、折り畳み状態の大型の折り畳みコンテナの上に折り畳み状態の小型の折り畳みコンテナを載置しようとした場合、大型の折り畳みコンテナの上の折り畳み状態の側板に小型の折り畳みコンテナが載置されてしまい、載置が不安定で上下に高く積み重ねることができず、しかも側板が損傷しやすく、これらの理由により底板の大きさの異なる折り畳みコンテナを上下に混載することはできなかった。
【０００５】
【発明が解決しようとする課題】
本発明は上記の問題点に鑑みて発明したものであり、底板の大きさの異なる大型の折り畳みコンテナと小型の折り畳みコンテナとを安定して混載でき、また、底板の大きさの異なる大型の折り畳みコンテナと小型の折り畳みコンテナとを側板が損傷しないように混載できる折り畳みコンテナの積載構造を提供することを課題とするものである。
【０００６】
【課題を解決するための手段】
上記課題を達成するため本発明の折り畳みコンテナの積載構造は、長方形状の大底板１Ａの対向する長辺にそれぞれ回動自在に取付けた長辺側の側板２Ａと、対向する短辺にそれぞれ回動自在に取付けた短辺側の側板２Ｂとを、長辺側の一対の側板２Ａ又は短辺側の一対の側板２Ｂのいずれか一方側を先に倒した後にその上に他方側を倒した状態で折り畳み且つ他方側を起立させた後に一方側を起立させて箱形状に組み立てる大型の折り畳みコンテナ３Ａを形成し、矩形状の小底板１ａの対向する一対の辺にそれぞれ回動自在に取付けた一対の第１の側板２ａと、対向する他の一対の辺に回動自在に取付けた一対の第２の側板２ｂとを、一対の第１の側板２ａを倒した上に一対の第２の側板２ｂを倒した状態で折り畳み且つ一対の第２の側板２ｂを起立させた後に一対の第１の側板２ａを起立させて箱形状に組み立てる小型の折り畳みコンテナ３ａを形成し、小型の折り畳みコンテナ３ａの小底板１ａの一辺を大型の大底板１Ａの短辺と同一長さとするとともに小底板１ａの他辺を大底板１Ａの長辺の１／Ｎとし、Ｎは２以上の整数、大型の折り畳みコンテナ３Ａの大底板１Ａの少なくとも四隅部分及び長辺の両端間に上方に向けて支持突部４Ａを突設し、上記小底板１ａの下面部の少なくとも四隅部分に係合部５ａを設け、大底板１Ａの支持突部４Ａに被係合部６Ａを設け、折り畳み状態の大型の折り畳みコンテナ３Ａの上面に複数の小型の折り畳みコンテナ３ａを載置すると共に大底板１Ａの少なくとも四隅部分及び長辺の両端間に突設した支持突部４Ａに複数の小型の折り畳みコンテナ３ａの各小底板１ａの少なくとも四隅部分を載設支持し且つ係合部５ａを被係合部６Ａに係合して成ることを特徴とするものである。このような構成とすることで、折り畳んだ大型の折り畳みコンテナ３Ａの上に複数の小型の折り畳みコンテナ３ａを積み重ねるとともに複数の各小型の折り畳みコンテナ３ａの小底板１ａの四隅部分をそれぞれ大型の折り畳みコンテナの支持突部４Ａで支持し且つ係合部５ａを被係合部６Ａに係合することで、大型の折り畳みコンテナ３Ａの上に複数の小型の折り畳みコンテナ３ａを並べて載置した場合に、複数の小型の折り畳みコンテナ３ａがずれないように積載できて、安定して支持して混載ができるものである。
【０００７】
ここで、大底板１Ａの長辺の両端間に突設した支持突部４Ａの外側にリブを設けることが好ましい。
【０００８】
また、支持突部４Ａの上端部を大型の折り畳みコンテナ３Ａの折り畳み状態における上段の側板よりも上方に突出するので、大型の折り畳みコンテナ３Ａの上に複数の小型の折り畳みコンテナ３ａを載置するに当たって、大型の折り畳みコンテナ３Ａの折り畳んだ状態で上段となっている側板に複数の小型の折り畳みコンテナ３ａの荷重がかからないようにでき、また、折り畳んだ状態における大型の折り畳みコンテナ３Ａの上に別の載置物を載置した場合にも大底板１Ａの少なくとも四隅部分及び長辺に上方に向けて支持突部４Ａにより支持して側板に荷重がかからないようにできるものである。
【０００９】
また、小型の折り畳みコンテナ３ａの小底板の少なくとも四隅部分に支持突出部４ａを突設し、折り畳み状態の小型の折り畳みコンテナ３ａを複数枚平面視で大型の折り畳みコンテナ３Ａと重なるように並べ、該並設した複数の小型の折り畳みコンテナ３ａの上に大型の折り畳みコンテナ３Ａを載置すると共に並設した複数の小型の折り畳みコンテナ３ａの小底板１ａの少なくとも四隅に突設した支持突出部４ａに大型の折り畳みコンテナ３Ａの大底板１Ａを載設支持することが好ましい。このような構成とすることで、小型の折り畳みコンテナ３ａを複数並設した上に大型の折り畳みコンテナ３Ａを載置でき、この場合、大型の折り畳みコンテナ３Ａの大底板１Ａからの荷重を複数の小型の折り畳みコンテナ３ａの四隅に突出した支持突出部４ａに載置して安定して支持できるものである。したがって、大型の折り畳みコンテナ３Ａの上に複数の小型の折り畳みコンテナ３ａを載置し、更に複数の並設した小型の折り畳みコンテナ３ａの上に大型の折り畳みコンテナ３Ａを載置するというように、大型の折り畳みコンテナ３Ａと並設した複数の小型の折り畳みコンテナ３ａとを交互に積み重ねるというような混載が可能となるものである。
【００１０】
また、大底板１Ａの下面部の少なくとも四隅部分及び長辺間に係止部５Ａを設け、支持突出部４ａに被係止部６ａを設け、係止部５Ａを被係止部６ａに係止することが好ましい。このような構成とすることで、複数の並設した小型の折り畳みコンテナ３ａの上に大型の折り畳みコンテナ３Ａを載置した際に、大型の折り畳みコンテナ３Ａがずれないように積載できるものである。
【００１１】
また、大型の折り畳みコンテナ３Ａの長辺側の側板２Ａの上面部に上方に向けて突出するずれ防止突起７を設け、小型の折り畳みコンテナ３ａの小底板１ａの端部に組み立て状態の大型の折り畳みコンテナ３Ａの上に複数の小型の折り畳みコンテナ３ａを並べて載置した際にずれ防止用突起７に嵌め込むための嵌め込み凹部８を形成することが好ましい。このような構成とすることで、箱状に組み立てた状態の大型の折り畳みコンテナ３Ａの上に複数の小型の折り畳みコンテナ３ａがずれないように載置できるとともに、積載状態で大型の折り畳みコンテナ３Ａの長辺側の側板２Ａが外に開くのを防止することができるものである。
【００１２】
【発明の実施の形態】
以下本発明の実施形態につき説明する。
【００１３】
本発明に使用する大型の折り畳みコンテナ３Ａは、図８乃至図１３に示すようなもので、長方形状の大底板１Ａの対向する長辺にそれぞれ長辺側の側板２Ａを回動自在に取付け、対向する短辺にそれぞれ短辺側の側板２Ｂを回動自在に取付け、長辺側の一対の側板２Ａ又は短辺側の一対の側板２Ｂのいずれか一方側を先に倒した後にその上に他方側を倒した状態で折り畳み且つ他方側を起立させた後に一方側を起立させて箱形状に組み立てるように構成してある。添付図面に示す実施形態では長辺側の一対の側板２Ａを倒した後に短辺側の一対の側板２Ｂをその上に倒すことで折り畳み、短辺側の一対の側板２Ｂを起立させた後に長辺側の一対の側板２Ａを起立させることで箱状に組み立てるようになっている。もちろん、短辺側の一対の側板２Ｂを倒した後に長辺側の一対の側板２Ａをその上に倒すことで折り畳み、長辺側の一対の側板２Ａを起立させた後に短辺側の一対の側板２Ｂを起立させることで箱状に組み立てるようなものであってもよい。
【００１４】
長方形状の大底板１Ａの四隅部と長辺の両端間には上方に向けて支持突部４Ａが突設してある。添付図面に示す実施形態においては大型の折り畳みコンテナ３Ａの上に小型の折り畳みコンテナ３ａを２つ載設する例を示しているので、この場合には長方形状の大底板１Ａの長辺の両端間を２等分する位置に支持突部４Ａを設けるものであり、大型の折り畳みコンテナ３Ａの上に小型の折り畳みコンテナ３ａを３つ載設する場合には長方形状の大底板１Ａの長辺の両端間を３等分する位置に支持突起４Ａを設けるものである。同様に大型の折り畳みコンテナ３Ａの上に小型の折り畳みコンテナ３ａを４つ載設する場合には長方形状の大底板１Ａの長辺の両端間を４等分する位置に支持突起４Ａを設けるものである。
【００１５】
この支持突部４Ａの上端は図８に示すように大型の折り畳みコンテナ３Ａを折り畳んだ状態で上段の側板（図８においては短辺側の側板２Ｂ）よりも上に突出している。また、支持突部４Ａのうち大底板１Ａの四隅部に位置する支持突部４Ａ１は上端部に平面視Ｌ字状をした凹み溝６Ａ１が形成してあってこの凹み溝６Ａ１が被係合部６Ａとなっており、また、支持突部４Ａのうち大底板１Ａの長辺に突設した支持突部４Ａ２は上端部両側にそれぞれ凹み溝６Ａ２が形成してあってこの凹み溝６Ａ２が被係合部６Ａとなっている。
【００１６】
図１３に示すように長方形状の大底板１Ａの下面部には周囲部に周段部１０Ａが形成してあり、更に、大底板１Ａの下面部の対向する両短辺間に短辺と平行に中段部１１が形成してあり（添付図面に示す実施形態では両短辺の中間部分に１つの中段部１１が形成してあり）、周段部１０Ａと中段部１１とは同一レベルとなっており、また、中段部１１の幅は周段部１０Ａの幅の２倍の幅となっている。そして、大底板１Ａの下面部の周段部１０Ａに囲まれた部分が下方に突出した突出底部１３Ａとなっており、この突出底部１３Ａは中段部１１により長手方向に複数に分離してあり、複数に分離された突出底部１３Ａの各４隅部が係止部５Ａを構成している。
【００１７】
折り畳んだ状態の大型の折り畳みコンテナ３Ａ同士を上下に重ねた場合、下段の大型の折り畳みコンテナ３Ａの四隅部と長辺には上方に向けて支持突部４Ａの上面に上段の大型の折り畳みコンテナ３Ａの大底板１Ａの底面部の周段部１０Ａの四隅部と中段部１１の短辺方向の両端部とがそれぞれ載置されると共に、複数に分割された突出底部１３Ａの各４隅部の係止部５Ａがそれぞれ被係合部６Ａを構成する凹み溝６Ａ１、凹み溝６Ａ２に係止して横ずれを防止している。
【００１８】
大型の折り畳みコンテナ３Ａの一対の長辺側の側板２Ａと一対の短辺側の側板２Ｂとを起立させて箱状に組み立てた状態で、隣接する長辺側の側板２Ａの端部と短辺側の側板２Ｂの端部とは任意の接合手段により係脱自在に連結されて箱状に組み立てた状態を保持することができるようになっている。また、長辺側の側板２Ａの上面部には長手方向の複数区域に上方に向けてずれ防止用突起７が突設してある（図１１の実施形態では長辺側の側板２Ａの上面部の長手方向の２区域に上方に向けてずれ防止用突起７が突設してある）。
【００１９】
小型の折り畳みコンテナ３ａは、矩形状の小底板１ａの対向する一対の辺にそれぞれ一対の第１の側板２ａを回動自在に取付け、対向する他の一対の辺に一対の第２の側板２ｂを回動自在に取付け、一対の第１の側板２ａを倒した上に一対の第２の側板２ｂを倒した状態で折り畳み且つ一対の第２の側板２ｂを起立させた後に一対の第１の側板２ａを起立させて箱形状に組み立てるように構成してある。小型の折り畳みコンテナ３ａの一対の第１の側板２ａと一対の第２の側板２ｂとを起立させて箱状に組み立てた状態で、隣接する第１の側板２ａの端部と第２の側板２ｂの端部とは任意の接合手段により係脱自在に連結されて箱状に組み立てた状態を保持することができるようになっている。
【００２０】
ここで、上記小型の折り畳みコンテナ３ａの小底板１ａは一辺が大型の大底板１Ａの短辺と同一長さとなっていると共に小底板１ａの他辺が大底板１Ａの長辺の１／Ｎとなっている。ここでＮは２以上の整数である。添付図面に示す実施形態において、矩形状の小底板１ａが長方形状をしている例であり、小底板１ａの長辺と大底板１Ａの短辺とが同一長さとなっていると共に小底板１ａの短辺が大底板１Ａの１／２（つまりＮが２）となっており、また、第１の側板２ａが長辺側の側板で第２の側板２ｂが短辺側の側板である例で示している。もちろん、矩形状の小底板１ａが正方形であってもよいものであり、また、矩形状の小底板１ａの短辺が大底板１Ａの１／３、１／４……であってもよいものである。
【００２１】
小底板１ａの四隅部分には上方に向けて支持突出部４ａが突設してあり、この支持突出部４ａの上端は小型の折り畳みコンテナ３ａを折り畳んだ状態において上段となる側板よりも上に位置している。また、支持突出部４ａの上面部には平面視Ｌ状をした凹み溝６ａ１が形成してあって、この平面視Ｌ状をした凹み溝６ａ１が被係止部６ａを構成している。また小底板１ａの下面部には周段部１０ａが形成してあり、小底板１ａの下面部には周段部１０ａに囲まれた部分が下方に突出した突出底部１３ａとなっており、この突出底部１３ａの四隅部が係合部５ａとなっている。
【００２２】
折り畳んだ状態の小型の折り畳みコンテナ３ａ同士を上下に重ねた場合、下段の小型の折り畳みコンテナ３ａの四隅部に設けた支持突出部４ａの上面に上段の小型の折り畳みコンテナ３ａの小底板１ａの底面部の周段部１０ａの四隅部が載置されると共に、突出底部１３ａの各４隅部の係合部５ａがそれぞれ被係止部６ａを構成する凹み溝６ａ１に係止して横ずれを防止している。
【００２３】
上記のような構成の大型の折り畳みコンテナ３Ａ、小型の折り畳みコンテナ３ａを用いて、組み立てた状態の大型の折り畳みコンテナ３Ａ及び組み立てた状態の小型の折り畳みコンテナ３ａ内にそれぞれ収納物を収納して搬送したり、収納物を保管したりするのである。そして、収納物を入れない状態では大型の折り畳みコンテナ３Ａ、小型の折り畳みコンテナ３ａをそれぞれ折り畳んで搬送したり、あるいは保管したりするものである。
【００２４】
ここで、大型の折り畳みコンテナ３Ａ、小型の折り畳みコンテナ３ａをそれぞれ折り畳んだ状態で搬送したり、保管したりするに当たり、本発明においては、図１、図２に示すように、折り畳んだ大型の折り畳みコンテナ３Ａの上に複数の小型の折り畳みコンテナ３ａを並べて載置して積み重ねることができるようになっている。すなわち、折り畳み状態の大型の折り畳みコンテナ３Ａの上面に複数の小型の折り畳みコンテナ３ａを載置すると共に大底板１Ａの少なくとも四隅部分及び長辺に突設した支持突部４Ａに複数の小型の折り畳みコンテナ３ａの小底板１ａの少なくとも４隅部分を載設支持するものである。この場合、大型の折り畳みコンテナ３Ａの短辺側に該短辺と同じ長さをした小型の折り畳みコンテナ３ａの一辺が平行となるように小型の折り畳みコンテナ３ａを大型の折り畳みコンテナ３Ａ上に複数並べるものであり、これにより大型の折り畳みコンテナ３Ａと複数の小型の折り畳みコンテナ３ａとが同一大きさに収まって積み重ねられるようになっている。
【００２５】
ここで、図６に示すように複数の小型の折り畳みコンテナ３ａの各小底板１ａの下面部の四隅部分に設けた係合部５ａが、支持突部４Ａの被係合部６Ａに係合するものであって、大型の折り畳みコンテナ３Ａの上に複数の小型の折り畳みコンテナ３ａを並べて載置した場合に、複数の小型の折り畳みコンテナ３ａがずれないように積載できていっそう安定して混載できるようになっている。また、前述のように、支持突部４Ａの上端部が大型の折り畳みコンテナ３Ａの折り畳み状態における上段の側板よりも上方に突出するように構成してあるので、大型の折り畳みコンテナ３Ａの上に複数の小型の折り畳みコンテナ３ａを載置するに当たって、大型の折り畳みコンテナ３Ａの折り畳んだ状態で上段となっている側板に複数の小型の折り畳みコンテナ３ａの荷重がかからないようにできるものであり、また、折り畳んだ状態における大型の折り畳みコンテナ３Ａの上に別の載置物を載置した場合にも大底板１Ａの少なくとも四隅部分及び長辺に上方に向けて支持突部４Ａにより支持して側板に荷重がかからないようにでき、これにより折り畳み状態の側板に荷重がかからずに側板の破損を防止するようになっている。
【００２６】
上記のように、大型の折り畳みコンテナ３Ａの上に複数の小型の折り畳みコンテナ３ａを並べて積載するのであるが、この場合、大型の折り畳みコンテナ３Ａ同士を多段に積載すると共に複数の大型の折り畳みコンテナ３Ａのうち任意の段数目の大型の折り畳みコンテナ３Ａの上に上記のように複数の小型の折り畳みコンテナ３ａを載置して積載してもよく、上記のようにして積載した複数の並設した小型の折り畳みコンテナ３ａの上に複数の小型の折り畳みコンテナ３ａを載設して積載してもよく、あるいは、複数の小型の折り畳みコンテナ３ａを並べた上に大型の折り畳みコンテナ３Ａを積載してもよいものである。
【００２７】
複数の小型の折り畳みコンテナ３ａを並べた上に大型の折り畳みコンテナ３Ａを載置して積載する場合、図６に示すように複数の小型の折り畳みコンテナ３ａの小底板１ａの少なくとも四隅に突設した支持突出部４ａに大型の折り畳みコンテナ３Ａの大底板１Ａが載置され、また、大底板１Ａの下面部の少なくとも四隅部分及び長辺間に設けた係止部５Ａが支持突出部４ａの被係止部６ａに係止するようになっている。これにより複数の並設した小型の折り畳みコンテナ３ａの上に大型の折り畳みコンテナ３Ａを載置した際に、大型の折り畳みコンテナ３Ａがずれないように安定して積載されることになる。
図３、図７には大型の折り畳みコンテナ３Ａと複数の小型の折り畳みコンテナ３ａとの積載の各例を示しているがもちろん上記以外にも種々の積載形態が採用できるものである。
【００２８】
なお、折り畳んだ状態の大型の折り畳みコンテナ３Ａの上に箱状に組み立てた複数の小型の折り畳みコンテナ３ａを積載してもよい。この場合も前述のように折り畳んだ複数の小型の折り畳みコンテナ３ａを大型の折り畳みコンテナ３Ａの上に載設して積載するのと同じ状態で積載されるものである。
【００２９】
また、折り畳んだ状態の複数の小型の折り畳みコンテナ３ａを並設した上に大型の折り畳みコンテナ３Ａを載設してもよい。この場合も前述のように折り畳んだ大型の折り畳みコンテナ３Ａを折り畳んだ複数の小型の折り畳みコンテナ３ａの上に載設して積載するのと同じ状態で積載されるものである。
【００３０】
一方、大型の折り畳みコンテナ３Ａを箱状に組み立て、小型の折り畳みコンテナ３ａを箱状に組み立て、図１９、図２０に示すように箱状に組み立てた大型の折り畳みコンテナ３Ａの上に複数の小型の折り畳みコンテナ３ａを載置するように混載することもできる。この場合、小型の折り畳みコンテナ３ａは小底板１ａの大底板１Ａの短辺と同一長さとなっている辺を大底板１Ａの短辺と平行となるように配置して複数並べて大型の折り畳みコンテナ３Ａ上に載置するものである。そして、図２１に示すように、大型の折り畳みコンテナ３Ａの長辺側の側板２Ａの上面部に上方に向けて突出したずれ防止突起７に、それぞれ各小型の折り畳みコンテナ３ａの小底板１ａの端部に設けた嵌め込み凹部８が嵌め込まれ、これにより箱状に組み立てた状態の大型の折り畳みコンテナ３Ａの上に複数の小型の折り畳みコンテナ３ａがずれないように載置できるとともに、積載状態で大型の折り畳みコンテナ３Ａの長辺側の側板２Ａが外に開くのを防止することができるものである。この場合、各小型の折り畳みコンテナ３ａの底部の突出底部１３ａが大型の折り畳みコンテナ３Ａの上開口部内に嵌り込みむことで、大型の折り畳みコンテナ３Ａの長辺側の側板２Ａ、短辺側の側板２Ｂがそれぞれ内側に倒れるのを防止するとともに複数の小型の折り畳みコンテナ３ａがいっそうずれないようにしている。
【００３１】
ここで、箱状に組み立てた複数の並設した小型の折り畳みコンテナ３ａの上に大型の折り畳みコンテナ３Ａを載置してもよい。この場合、複数の並設した小型の折り畳みコンテナ３ａの上開口縁部に大型の折り畳みコンテナ３Ａの大底板１Ａの下面部の周段部１０Ａ、中段部１１に嵌め込まれ（隣接する折り畳みコンテナ３ａの上開口縁部は中段部１１に嵌め込まれ）、大型の折り畳みコンテナ３Ａがずれないようになっている。
【００３２】
【発明の効果】
本発明の請求項１記載の発明にあっては、上述のように、小型の折り畳みコンテナの小底板の一辺を大型の大底板の短辺と同一長さとするとともに小底板の他辺を大底板の長辺の１／Ｎとし、Ｎは２以上の整数、大型の折り畳みコンテナの大底板の少なくとも四隅部分及び長辺の両端間に上方に向けて支持突部を突設し、上記小底板の下面部の少なくとも四隅部分に係合部を設け、大底板の支持突部に被係合部を設け、折り畳み状態の大型の折り畳みコンテナの上面に複数の小型の折り畳みコンテナを載置すると共に大底板の少なくとも四隅部分及び長辺の両端間に突設した支持突部に複数の小型の折り畳みコンテナの各小底板の少なくとも四隅部分を載設支持し且つ係合部を被係合部に係合するので、折り畳んだ大型の折り畳みコンテナの上に複数の小型の折り畳みコンテナを積み重ねるとともに複数の各小型の折り畳みコンテナの小底板の四隅部分をそれぞれ大型の折り畳みコンテナの支持突部で支持でき、また、係合部を被係合部に係合するので、大型の折り畳みコンテナの上に複数の小型の折り畳みコンテナを並べて載置した場合に、複数の小型の折り畳みコンテナがずれないように積載でき、この結果、大型の折り畳みコンテナと小型の折り畳みコンテナをそれぞれ折り畳んで搬送、保管する際、両者を混載して搬送、保管ができて流通の簡素化がはかれるものである。
【００３３】
また、請求項２記載の発明にあっては、上記のように小型の折り畳みコンテナの小底板の隅部を支持する大底板の長辺の両端間に突設した支持突部の外側にリブを設けたことを特徴としている。
【００３４】
また、請求項３記載の発明にあっては、上記請求項１又は請求項２記載の発明の効果に加えて、支持突部の上端部を大型の折り畳みコンテナの折り畳み状態における上段の側板よりも上方に突出するので、大型の折り畳みコンテナの上に複数の小型の折り畳みコンテナを載置するに当たって、大型の折り畳みコンテナの折り畳んだ状態で上段となっている側板に複数の小型の折り畳みコンテナの荷重がかからないようにでき、また、折り畳んだ状態における大型の折り畳みコンテナの上に別の載置物を載置した場合にも大底板の少なくとも四隅部分及び長辺に上方に向けて支持突部により支持して側板に荷重がかからないようにできるものであって、大型の折り畳みコンテナの側板の破損を防止できるものである。
【００３５】
また、請求項４記載の発明にあっては、上記請求項１記載の発明の効果に加えて、小型の折り畳みコンテナの小底板の少なくとも四隅部分に支持突出部を突設し、折り畳み状態の小型の折り畳みコンテナを複数枚平面視で大型の折り畳みコンテナと重なるように並べ、該並設した複数の小型の折り畳みコンテナの上に大型の折り畳みコンテナを載置すると共に並設した複数の小型の折り畳みコンテナの小底板の少なくとも四隅に突設した支持突出部に大型の折り畳みコンテナの大底板を載設支持するので、小型の折り畳みコンテナを複数並設した上に大型の折り畳みコンテナを載置でき、この場合、大型の折り畳みコンテナの大底板からの荷重を複数の小型の折り畳みコンテナの四隅に突出した支持突出部に載置して安定して支持できるものであり、したがって、大型の折り畳みコンテナの上に複数の小型の折り畳みコンテナを載置し、更に複数の並設した小型の折り畳みコンテナの上に大型の折り畳みコンテナを載置するというように、大型の折り畳みコンテナと並設した複数の小型の折り畳みコンテナとを交互に積み重ねるというような混載が可能となっていっそう効率よく大型の折り畳みコンテナと小型の折り畳みコンテナとを混載することができるものである。
【００３６】
また、請求項５記載の発明にあっては、上記請求項４記載の発明の効果に加えて、大底板の下面部の少なくとも四隅部分及び長辺間に係止部を設け、支持突出部に被係止部を設け、係止部を被係止部に係止してあるので、複数の並設した小型の折り畳みコンテナの上に大型の折り畳みコンテナを載置した際に、大型の折り畳みコンテナがずれないように積載できて、安定した混載ができるものである。
【００３７】
また、請求項６記載の発明にあっては、上記請求項１記載の発明の効果に加えて、大型の折り畳みコンテナの長辺側の側板の上面部に上方に向けて突出するずれ防止突起を設け、小型の折り畳みコンテナの小底板の端部に組み立て状態の大型の折り畳みコンテナの上に複数の小型の折り畳みコンテナを並べて載置した際にずれ防止用突起に嵌め込むための嵌め込み凹部を形成してあるので、箱状に組み立てた状態の大型の折り畳みコンテナの上に複数の小型の折り畳みコンテナがずれないように載置できるとともに、積載状態で大型の折り畳みコンテナの長辺側の側板が外に開くのを防止することができるものである。
【図面の簡単な説明】
【図１】  本発明の大型の折り畳みコンテナと小型の折り畳みコンテナをそれぞれ折り畳んで混載した状態の斜視図である。
【図２】  同上の分解斜視図である。
【図３】  同上の正面図である。
【図４】  同上の側面図である。
【図５】  同上の大型の折り畳みコンテナと小型の折り畳みコンテナとを折り畳んで積載した積載部分の断面図である。
【図６】  （ａ）は図５の左端部分の拡大断面図であり、（ｂ）は図５の中央部部分の拡大断面図である。
【図７】  同上の大型の折り畳みコンテナと小型の折り畳みコンテナとを折り畳んで混載した他の例を示す正面図である。
【図８】  同上に用いる大型の折り畳みコンテナの折り畳み状態の斜視図である。
【図９】  同上に用いる大型の折り畳みコンテナの折り畳み状態の平面図である。
【図１０】  同上に用いる大型の折り畳みコンテナの折り畳み状態の正面図である。
【図１１】  同上に用いる大型の折り畳みコンテナの箱状に組み立てた状態の斜視図である。
【図１２】  同上に用いる大型の折り畳みコンテナの箱状に組み立てた状態の正面図である。
【図１３】  同上に用いる大型の折り畳みコンテナの下面図である。
【図１４】  同上に用いる小型の折り畳みコンテナの折り畳み状態の斜視図である。
【図１５】  同上に用いる小型の折り畳みコンテナの折り畳み状態の正面図である。
【図１６】  同上に用いる小型の折り畳みコンテナの箱状に組み立てた状態の斜視図である。
【図１７】  同上に用いる小型の折り畳みコンテナの箱状に組み立てた状態の正面図である。
【図１８】  同上に用いる小型の折り畳みコンテナの下面図である。
【図１９】  同上に用いる大型の折り畳みコンテナと小型の折り畳みコンテナとを組み立てた状態で混載している状態の斜視図である。
【図２０】  同上の正面図である。
【図２１】  同上の断面図である。
【符号の説明】
１Ａ  大底板
１ａ  小底板
２Ａ  長辺側の側板
２Ｂ  短辺側の側板
２ａ  一方の側板
２ｂ  他方の側板
３Ａ  大型の折り畳みコンテナ
３ａ  小型の折り畳みコンテナ
４Ａ  支持突部
４ａ  支持突出部
５Ａ  係止部
５ａ  係合部
６Ａ  被係合部
６ａ  被係止部
７  ずれ防止用突起
８  嵌め込み凹部
【図１】
0004585089.tif 000002
【図２】
0004585089.tif 000003
【図３】
0004585089.tif 000004
【図４】
0004585089.tif 000005
【図５】
0004585089.tif 000006
【図６】
0004585089.tif 000007
【図７】
0004585089.tif 000008
【図８】
0004585089.tif 000009
【図９】
0004585089.tif 000010
【図１０】
0004585089.tif 000011
【図１１】
0004585089.tif 000012
【図１２】
0004585089.tif 000013
【図１３】
0004585089.tif 000014
【図１４】
0004585089.tif 000015
【図１５】
0004585089.tif 000016
【図１６】
0004585089.tif 000017
【図１７】
0004585089.tif 000018
【図１８】
0004585089.tif 000019
【図１９】
0004585089.tif 000020
【図２０】
0004585089.tif 000021
【図２１】
0004585089.tif 000022